(57)【特許請求の範囲】
【請求項１】
前後両端部付近が各々円弧状にカールして、その二つのカール部分の間の部分が真っ直ぐに形成された弾力性のあるチューブ状部材からなる内視鏡用ドレナージチューブにおいて、
上記チューブ状部材の外面側から内方に向かうにしたがって上記チューブ状部材の真っ直ぐな部分から遠ざかる斜め向きの切り込みが、上記カール部分を真っ直ぐにした状態で上記カール部分に形成されて、その切り込み部分が上記カール部分の外周面側に配置されることにより刺状突起が形成され、
上記刺状突起が、上記チューブ状部材の先端側のカール部分においては、上記チューブ状部材の真っ直ぐな部分に近接した位置と、そのカール部分の中間位置付近とに設けられ、後端側のカール部分においては、上記チューブ状部材の真っ直ぐな部分に近接した位置に設けられ、
体液通過孔が上記チューブ状部材の両端部付近に各々形成されていることを特徴とする内視鏡用ドレナージチューブ。
【請求項２】
上記切り込みが、上記チューブ状部材の表面から径の半分付近まで達している請求項１記載の内視鏡用ドレナージチューブ。
【発明の詳細な説明】
【０００１】
【発明の属する技術分野】
この発明は、体液の排出等を目的に経内視鏡的に体内の目標部位に留置される内視鏡用ドレナージチューブに関する。
【０００２】
【従来の技術】
内視鏡用ドレナージチューブは、基本的には単なるチューブ状の部材であるが、留置作業の際やその後長期にわたって留置されている間に、処置位置から抜け出てこないように工夫する必要がある。
【０００３】
図７は、従来の内視鏡用ドレナージチューブの一例を示しており、直線状に形成されたチューブ状部材１の先端側に体液流入口２が形成され、後端側には体液流出口３が形成されている。
【０００４】
そして、チューブ状部材１の両端の近傍には、外面側から内方に向かうにしたがって端部側に接近する斜め向きの切り込み４が形成され、その切り込み４の外側の舌片部分が外方に起こされて、抜け止めとして作用する刺状突起５になっている。
【０００５】
図８は、従来の内視鏡用ドレナージチューブの他の例を示しており、体液流入口２と体液流出口３が形成された弾力性のある部材からなるチューブ状部材１の両端近傍部分が、各々円弧状にカールして形成されている。
【０００６】
したがって、留置のために目標部位へ挿入される際には内側に芯金を通して真っ直ぐにしておき、目標部位にチューブ状部材１を半分程度の長さ差し込んだ状態で芯金を抜くことにより、目標内部でチューブ状部材１がカールして抜け止めとして作用する。
【０００７】
【発明が解決しようとする課題】
しかし、図７に示されるように直線状のチューブ状部材１に刺状突起５が形成されたものでは、留置時間が経過するのに伴って刺状突起５が次第に閉じた状態に戻り、抜け止めとして作用しなくなって目標部位から抜け出してしまう場合が少なくない。
【０００８】
また、図８に示されるように弾力性のあるチューブ状部材１を円弧状にカールした形状に形成して抜け止めとしたものでも、誤って深く差し込みすぎて排液が良好に行われる状態に留置できなかったり、留置位置から取り外すことができなくなってしまう場合がある。
【０００９】
そこで本発明は、誤って深く差し込みすぎることがなく、また抜け止め作用が長期にわたって確実に作用する内視鏡用ドレナージチューブを提供することを目的とする。
【００１０】
【課題を解決するための手段】
上記の目的を達成するため、本発明の内視鏡用ドレナージチューブは、少なくとも一端の近傍部分が円弧状にカールして形成された弾力性のあるチューブ状部材からなる内視鏡用ドレナージチューブにおいて、チューブ状部材のカール部分の外周面側に、外面側から内方に向かうにしたがってチューブ状部材の端部側に接近する斜め向きの切り込みを形成したものである。
【００１１】
切り込みは、チューブ状部材の表面から径の半分付近まで達していると効果的である。また、チューブ状部材の先端側のカール部分には、複数の切り込みが形成されていると逆止作用が確実であり、チューブ状部材の後端側のカール部分と直線部との境界の近傍に切り込みが形成されていると、差し込みすぎ防止位置として好ましい。
【００１２】
【発明の実施の形態】
図面を参照して本発明の実施例を説明する。
図１は、本発明の実施例の内視鏡用ドレナージチューブを示しており、チューブ状部材１は例えばシリコンゴムチューブ等のような弾力性のあるチューブ材によって形成され、両端はテーパ状に少し窄められた形状に形成されている。
【００１３】
チューブ状部材１の先端側部分には体液流入口２が形成され、後端側には体液流出口３が形成されている。体液流入口２と体液流出口３は、各々チューブ状部材１の両端開口と側壁に穿設された孔とを含んでいるが、目的に応じて適宜の開口を形成すればよい。
【００１４】
チューブ状部材１の両端近傍部分は、外力が加えられていない状態では各々円弧状に三分の二周程度カールした形状に形成されている。カールは先端側と後端側とで同一平面上に同方向に形成されているが、先端側と後端側とで向きや大きさが異なっていてもよい。
【００１５】
チューブ状部材１の先端側のカール部分の外周面側には、外面側から内方に向かうにしたがってチューブ状部材１の先端に接近する斜め向きの切り込み４が間隔をあけて複数形成されている。各切り込み４は、チューブ状部材１の表面から径の半分付近まで達している。
【００１６】
また、チューブ状部材１の後端側のカール部分の外周面側には、外面側から内方に向かうにしたがってチューブ状部材１の後端に接近する斜め向きの切り込み４が、チューブ状部材１の直線部との境界の近傍に形成されている。この切り込み４も、チューブ状部材１の表面から径の半分付近まで達している。
【００１７】
図２は、切り込み４，４′がカールの外周面側に形成された場合と内周面側に形成された場合とを比較して示しており、チューブ状部材１が円弧状にカールしていることによって、外周面側に形成された切り込み４には開き方向の力が作用しており、内周面側に形成された切り込み４′には逆に閉じ力が作用している。
【００１８】
したがって、図１に示されるように、チューブ状部材１の外面側に形成された各切り込み４は自然に開いてその外側の舌片部分が刺状に突出しており、先端側のカール部分から突出する前側刺状突起６は、チューブ状部材１が目標部位に差し込まれた状態からの抜け止めとして作用し、後端側のカール部分から突出する後側刺状突起７は、チューブ状部材１が目標部位に差し込まれすぎないためのストッパとして作用する。
【００１９】
図３ないし図５は、上記実施例の内視鏡用ドレナージチューブが超音波内視鏡５０の処置具挿通チャンネル５１に通されて体内に留置される際の状態を示しており、チューブ状部材１は先端が針状になったガイドワイヤ８の先端部分に被嵌され、可撓性チューブからなるプッシャー９によって手元側から前方に押し出される。
【００２０】
図３に示されるように、チューブ状部材１はガイドワイヤ８が通された状態ではほぼ真っ直ぐの形状に弾性変形しており、その状態で体壁１００に突き通されて、例えば膵仮性膿疱等の目標部位１０１に差し込まれる。その際には、後側刺状突起７が体壁１００の表面にぶつかることによって差し込みすぎが防止される。
【００２１】
チューブ状部材１が目標部位１０１に正しい深さまで差し込まれた状態になったら、図４に示されるように、プッシャー９を押さえてガイドワイヤ８を手元側へ引き戻す。その際には、前側刺状突起６が目標部位１０１内に引っ掛かってチューブ状部材１が抜け出さない抜け止めとして作用する。
【００２２】
そして、図５に示されるように、さらにガイドワイヤ８を引き戻すことにより、チューブ状部材１の先側半部が目標部位１０１内に位置し、後端近傍部分が体壁１００より手前側に露出した状態でドレナージチューブが留置される。
【００２３】
その結果、目標部位１０１内の体液がチューブ状部材１内を通って外部に排出されると同時に、前側刺状突起６が抜け止めとして作用するので、長期にわたって安定した状態で留置される。
【００２４】
図６は、本発明のドレナージチューブを内視鏡６０を用いて十二指腸２００から胆道２０１内に挿管した状態を示しており、それ以外にも本発明は各種の目的に用いられる内視鏡用ドレナージチューブに適用することができる。
【００２５】
なお、本発明は上記実施例に限定されるものではなく、例えば円弧状のカールがドレナージチューブの先端側と後端側のいずれか一方に形成されているものであってもよい。
【００２６】
【発明の効果】
本発明によれば、少なくとも一端の近傍部分が円弧状にカールしたチューブ状部材のカール部分の外周面側に、外面側から内方に向かうにしたがってチューブ状部材の端部側に接近する斜め向きの切り込みを形成したことにより、切り込みの外側の部分が刺状に確実に突出して、後端側の刺状突起の場合には差し込みすぎを防止するストッパとして作用し、先端側の刺状突起の場合にはドレナージチューブの抜け止めとして効果的に作用する。
【００２７】
その結果、ドレナージチューブを誤って深く差し込みすぎることがなく、また抜け止め作用が長期にわたって確実に作用し、安定した留置状態を維持して体液の排出を確実に行うことができる。
【図面の簡単な説明】
【図１】本発明の実施例の内視鏡用ドレナージチューブの側面断面図である。
【図２】本発明の実施例の切り込みを説明するための側面図である。
【図３】本発明の実施例の内視鏡用ドレナージチューブの使用状態を示す略示図である。
【図４】本発明の実施例の内視鏡用ドレナージチューブの使用状態を示す略示図である。
【図５】本発明の実施例の内視鏡用ドレナージチューブの使用状態を示す略示図である。
【図６】本発明の実施例の内視鏡用ドレナージチューブの異なる使用状態を示す略示図である。
【図７】従来の第１の内視鏡用ドレナージチューブの側面断面図である。
【図８】従来の第２の内視鏡用ドレナージチューブの側面断面図である。
【符号の説明】
１  チューブ状部材
２  体液流入口
３  体液流出口
４  切り込み
６  前側刺状突起
７  後側刺状突起
【図１】
0004459366.tif 000002
【図２】
0004459366.tif 000003
【図３】
0004459366.tif 000004
【図４】
0004459366.tif 000005
【図５】
0004459366.tif 000006
【図６】
0004459366.tif 000007
【図７】
0004459366.tif 000008
【図８】
0004459366.tif 000009